(57)【特許請求の範囲】
【請求項１】
ユーザの臀部の下に敷かれる板状のクッションであって、
前記クッションの上面には、凹凸が形成されていると共に、前記クッションの後端から前端にかけて下り傾斜が形成されており、
前記後端の中央部分における前記前端に向かう窪みとして形成されており、前記クッションの前記上面側から下面側に繋がる空洞をなし、前記ユーザの仙骨部分が配置される仙骨配置部と、
前記前端における中央から一方の側端に向かって所定距離を隔てた部分に、前記後端に向かう窪みとして形成されており、前記クッションの前記上面側から前記下面側に繋がる空洞をなし、前記ユーザの左足大腿部が配置される左足配置部と、
前記前端における中央から他方の側端に向かって所定距離を隔てた部分に、前記後端に向かう窪みとして形成されており、前記クッションの前記上面側から前記下面側に繋がる空洞をなし、前記ユーザの右足大腿部が配置される右足配置部と、
を備えることを特徴とするクッション。
【請求項２】
請求項１に記載のクッションにおいて、
前記仙骨配置部の前記前端に向かって左側の位置から、前記左足配置部が形成された位置にかけて前記上面に形成された左側溝部と、
前記仙骨配置部の前記前端に向かって右側の位置から、前記右足配置部が形成された位置にかけて前記上面に形成された右側溝部と、
をさらに備えることを特徴とするクッション。
【請求項３】
請求項１又は請求項２に記載のクッションにおいて、
前記凹凸は、前記クッションの一方の側端から他方の側端に延びる溝状に形成されていること、
を特徴とするクッション。
【請求項４】
請求項１から請求項３のうちのいずれか１項に記載のクッションにおいて、
前記上面は、前記後端における頂部と前記前端における頂部とを結ぶ直線が、前記クッションを平面に置いた際に、該平面に対し、５°以上１０°以下の角度を有し、前記凹凸の頂部は、該直線に沿って配されるように構成されていること、
を特徴とするクッション。
【発明の詳細な説明】
【技術分野】
【０００１】
本発明は、ユーザの臀部の下に敷かれるクッションに関する。
【背景技術】
【０００２】
従来、椅子の座面に敷いて用いるクッションとして、その上面における後部中央に、ユーザの座骨部分を収容するための凹みが形成されているものが知られている（例えば、特許文献１）。
【０００３】
特許文献１に記載にクッションによれば、凹みの部分に座骨を収容した状態でクッションの上に座ることで、座骨部分に圧力が集中することが無くなり、臀部の痛みを抑制することができる。
【先行技術文献】
【特許文献】
【０００４】
【特許文献１】特開２００３−３９４号公報
【発明の概要】
【発明が解決しようとする課題】
【０００５】
しかしながら、ユーザが足を組んだり足を広げたりすると、姿勢が悪くなり、長時間座っていると疲れがたまり易くなる。
本願発明は上記課題に鑑みてなされたものであり、ユーザが良い姿勢を維持し易くなるクッションを提供することを目的とする。
【課題を解決するための手段】
【０００６】
上記課題に鑑みてなされた請求項１に係る発明は、ユーザの臀部の下に敷かれる板状のクッションであって、クッションの上面には、凹凸が形成されていると共に、クッションの後端から前端にかけて下り傾斜が形成されており、後端の中央部分における前端に向かう窪みとして形成されており、クッションの上面側から下面側に繋がる空洞をなし、ユーザの仙骨部分が配置される仙骨配置部と、前端における中央から一方の側端に向かって所定距離を隔てた部分に、後端に向かう窪みとして形成されており、クッションの上面側から下面側に繋がる空洞をなし、ユーザの左足大腿部が配置される左足配置部と、前端における中央から他方の側端に向かって所定距離を隔てた部分に、後端に向かう窪みとして形成されており、クッションの上面側から下面側に繋がる空洞をなし、ユーザの右足大腿部が配置される右足配置部と、を備える。
【０００７】
このような構成によれば、クッションの上面に前端に向かう下り傾斜が形成されているため、上記クッションが座面に敷かれた椅子にユーザが座ると、ユーザの膝が下がり、骨盤が立った状態となる。このため、無意識のうちに腹筋や大腰筋等が使われ、脊椎の生理的湾曲（Ｓ字カーブ）が形成された状態（セミスタンドポジション）を維持し易くなり、容易に良い姿勢を取ることができる。
【０００８】
また、クッションの前端に形成された左足配置部，右足配置部に、ユーザの左足，右足の大腿部が配されると、左右の内転筋が無意識のうちに使われるようになり、足を組んだり、足を開きすぎたりすることが無くなり、ユーザが良い姿勢を維持し易くなる。
【０００９】
さらに、クッションの後端に形成された仙骨配置部にユーザの仙骨部分が配されると、仙骨部分に圧力が集中することが無くなり、臀部の痛みを抑制することができ、また、クッションの上面に形成された凹凸により臀部にかかる圧力が分散される。このため、長時間同じ姿勢で座り続けることができ、ユーザが良い姿勢を維持し易くなる。
【００１０】
また、クッションの上面に形成された凹凸により通気性が向上するため、臀部の蒸れが生じ難くなり、蒸れによる不快感を解消するために姿勢を変えたりする必要が無く、ユーザが良い姿勢を維持し易くなる。
【００１１】
なお、請求項２に記載されているように、仙骨配置部の前端に向かって左側の位置から、左足配置部が形成された位置にかけて上面に形成された左側溝部と、仙骨配置部の前端に向かって右側の位置から、右足配置部が形成された位置にかけて上面に形成された右側溝部と、をさらに備えるクッションを構成しても良い。
【００１２】
これにより、左側，右側溝部により、両側端がせり上がるようにクッションが湾曲し易くなるため、ユーザの臀部を左右から包み込むようにして支えることができ、より臀部にフィットし、快適性を向上させることができる。このため、ユーザが良い姿勢を維持し易くなる。
【００１３】
また、請求項３に記載されているように、凹凸は、クッションの一方の側端から他方の側端に延びる溝状に形成されていても良い。
こうすることにより、ユーザの臀部にかかる圧力を、より好適に分散することができる。このため、長時間同じ姿勢で座り続けることが可能となり、ユーザが良い姿勢を維持し易くなる。
【００１４】
また、請求項４に記載されているように、上面は、後端における頂部と前端における頂部とを結ぶ直線が、クッションを平面に置いた際に、該平面に対し、５°以上１０°以下の角度を有し、凹凸の頂部は、該直線に沿って配されるように構成されていても良い。
【００１５】
このような構成によれば、本発明に係るクッションを使用するユーザの膝の下がり具合や、骨盤の立ち具合を好適にすることができ、より一層、容易に良い姿勢を取ることができる。
【図面の簡単な説明】
【００１６】
【図１】本実施形態のクッションの斜視図である。
【図２】本実施形態のクッションの本体部の斜視図である。
【図３】本実施形態のクッションの本体部の側面図である。
【図４】本実施形態のクッションの本体部の上面の正面図である。
【発明を実施するための形態】
【００１７】
以下、本発明の実施形態について図面を用いて説明する。なお、本発明の実施の形態は、下記の実施形態に何ら限定されることはなく、本発明の技術的範囲に属する限り種々の形態を採りうる。
【００１８】
［構成の説明］
図１は、本実施形態のクッション１の斜視図である。クッション１は、本体部３と（図２〜４参照）、本体部３の形状に応じた形状を有しており、本体部３を覆うカバー２から構成されており、例えば、椅子の座面に敷いて用いられる。
【００１９】
本体部３は、弾性を有する板状のクッション部材として構成されており、一例として、ウレタン等の合成樹脂から構成されている。
無論、これに限定されることは無く、本体部３は、例えば、袋状の部材に充填部材（例えば、発泡ビーズ，樹脂材料のチップ，綿などの繊維材料，そばがら，羽毛，水等）を詰め込むことで構成されていても良い。また、本体部３は、例えば、図示しない空気バルブを介して空気が充填された中空の浮き袋として構成されていても良い。
【００２０】
本体部３の上面１０及び下面５０は、略矩形状に形成されている。
そして、上面１０には、左端７から右端６に向かって伸びる直線の溝状の凹凸１１が形成されている（以下では、左端７が存在する側を左側、右端６が存在する側を右側とする）。
【００２１】
なお、上面１０における凹凸の形状は、これに限定されることは無く、例えば、左右方向に延びるリブ状の突起を複数形成することで凹凸を構成しても良いし、複数の突起を前後方向又は左右方向に並べることで凹凸を構成しても良い。
【００２２】
一方、下面５０は、一例として平面状に形成されている。
そして、上面１０及び下面５０は、下面５０を下にして本体部３を平面に置いた際、該平面を基準として、上面１０に、後端４から前端５に向かう下り傾斜が形成されるように構成されている。
【００２３】
本実施形態では、後端４をなす側面の頂部１４と前端５をなす側面の頂部１５を結ぶ直線が、該平面に対し一例として７°の角度を有するよう構成されており、上面１０における凹凸１１により形成される突起部分の頂部は、該直線に沿って配される。
【００２４】
なお、該角度は、７°に限定されることは無いが、５°以上１０°以下の範囲とするのが好適である。
また、本体部３の後端４の中央部分（ユーザの仙骨部分が配置されると想定される部分）には、仙骨配置部２０が設けられている。
【００２５】
仙骨配置部２０は、後端４の中央部分の区間における前端５側に向かう窪みとして形成され、本体部３の上面１０側の空間と下面５０側の空間とに繋がる三角形状の空洞をなし、クッション１を使用するユーザの仙骨部分が配置される。
【００２６】
なお、仙骨配置部２０は、本体部３における後端４の中央部分の区間に隣接する部位を、上面１０から下面５０に貫通するように三角形状に切り欠いて形成されても良い。
無論、仙骨配置部２０の形状は、三角形状に限定されることは無く、例えば、Ｕ字状、矩形状、或いは台形状に形成されても良い。
【００２７】
また、前端５におけるその中央から左側に所定距離を隔てた左側部分（左足大腿部が配置されると想定される部分）には、左足配置部３０が設けられている。左足配置部３０は、前端５の左側部分の区間における後端４に向かう窪みとして形成されており、本体部３の上面１０側の空間と下面５０側の空間とに繋がる台形状の空洞をなし、ユーザの左足大腿部が配置される。
【００２８】
また、前端５におけるその中央から右側に同じ距離を隔てた右側部分（右足大腿部が配置されると想定される部分）には、右足配置部４０が設けられている。右足配置部４０は、前端５の右側部分の区間における後端４に向かう窪みとして形成されており、本体部３の上面１０側の空間と下面５０側の空間とに繋がる台形状の空洞をなし、ユーザの右足大腿部が配置される。
【００２９】
なお、左足配置部３０は、本体部３における前端５の左側部分の区間に隣接する部位を、上面１０から下面５０に貫通するように台形状に切り欠いて形成されても良い。また、右足配置部４０も、これと同様に、本体部３における前端５の右側部分の区間に隣接する部位を、上面１０から下面５０に貫通するように台形状に切り欠いて形成されても良い。
【００３０】
無論、左足配置部３０，右足配置部４０の形状は、台形状に限定されることは無く、例えば、Ｕ字状、矩形状、或いは三角形状に形成されても良い。
また、本体部３の上面１０には、仙骨配置部２０の左側の位置から、左足配置部３０が形成された位置にかけて、直線状の左側溝部１２が形成されている。また、上面１０には、仙骨配置部２０の右側の位置から、右足配置部４０が形成された位置にかけて、直線状の右側溝部１３が形成されている。
【００３１】
なお、左側溝部１２及び右側溝部１３は、上面１０における凹凸１１の頂部を基準として、該凹凸１１により形成された溝と同程度の深さを有している。
また、本実施形態では、左側溝部１２及び右側溝部１３は、直線状に形成されているが、これに限定されることは無く、例えば、ユーザの臀部の形状に応じた曲線状に形成されていても良い。また、本体部３の上面１０、左側溝部１２及び右側溝部１３を形成しない構成としても良い。
【００３２】
［効果］
本実施形態のクッション１によれば、本体部３の上面１０には、前端５に向かう下り傾斜が形成されているため、クッション１が座面に敷かれた椅子にユーザが座ると、ユーザの膝が下がり、骨盤が立った状態となる。このため、無意識のうちに腹筋や大腰筋等が使われ、脊椎の生理的湾曲（Ｓ字カーブ）が形成された状態（セミスタンドポジション）を維持し易くなり、容易に良い姿勢を取ることができる。
【００３３】
また、本体部３の前端５に形成された左足配置部３０，右足配置部４０に、ユーザの左足，右足の大腿部が配されると、左右の内転筋が無意識のうちに使われるようになり、足を組んだり、足を開きすぎたりすることが無くなり、ユーザが良い姿勢を維持し易くなる。
【００３４】
さらに、本体部３の後端４に形成された仙骨配置部２０にユーザの仙骨部分が配されると、仙骨部分に圧力が集中することが無くなり、臀部の痛みを抑制することができると共に、本体部３の上面１０に形成された凹凸１１により臀部にかかる圧力が分散される。このため、長時間同じ姿勢で座り続けることができ、ユーザが良い姿勢を維持し易くなる。
【００３５】
また、本体部３の上面１０に形成された凹凸１１により通気性が向上するため、臀部の蒸れにより不快感が生じ難くなり、蒸れによる不快感を解消するために姿勢を変えたりする必要が無く、ユーザが良い姿勢を維持し易くなる。
【００３６】
なお、本体部３の材質によっては、上面１０に凹凸１１を設けなくても、通気性を確保することができる。
［他の実施形態］
（１）本実施形態のクッション１は、椅子の座面に敷いて用いるほか、例えば、正座する際に、大腿部裏側と脹脛とに挟まれた状態で使用される正座クッションとして用いることもできる。
【００３７】
このような場合には、上面１０がユーザの大腿部裏側に、下面５０が脹脛側に位置すると共に、前端５がユーザの膝側に、後端４が臀部側に位置する状態で使用することが考えられる。これにより、上面１０の下り傾斜により、無意識のうちに腹筋や大腰筋等が使われ、脊椎の生理的湾曲（Ｓ字カーブ）が形成された状態を維持し易くなり、容易に良い姿勢を取ることができる。また、クッション１がユーザの大腿部裏側と脹脛との間の緩衝材となることにより、膝の過屈曲を防ぐことができる。
【００３８】
さらに、本体部３の後端４に形成された仙骨配置部２０にユーザの仙骨部分が配されると、仙骨部分に圧力が集中することが無くなり、臀部の痛みを抑制することができると共に、本体部３の上面１０に形成された凹凸１１により、大腿部裏側にかかる圧力が分散される。このため、長時間同じ姿勢で座り続けることができ、ユーザが良い姿勢を維持し易くなる。
【００３９】
また、本体部３の上面１０に形成された凹凸１１により通気性が向上するため、大腿部裏側の蒸れにより不快感が生じ難くなり、蒸れによる不快感を解消するために姿勢を変えたりする必要が無く、ユーザが良い姿勢を維持し易くなる。
【００４０】
（２）また、本実施形態のクッション１の本体部３の上面１０及び下面５０は、矩形に形成されているが、これに限らず、例えば、台形状や、楕円形状や、五角形状等に形成されていても良い。また、本体部３の前端５，後端４，左端７，右端６は、直線状に形成されているが、これに限定されることは無く、例えば、曲線状にしたり、凹凸を有する形状としても良い。このような場合であっても、同様の効果を得ることができる。
【符号の説明】
【００４１】
１…クッション、２…カバー、３…本体部、４…後端、５…前端、６…右端、７…左端、１０…上面、１１…凹凸、１２…左側溝部、１３…右側溝部、１４…頂部、１５…頂部、２０…仙骨配置部、３０…左足配置部、４０…右足配置部、５０…下面。
【図１】
0005576978.tif 000002
【図２】
0005576978.tif 000003
【図３】
0005576978.tif 000004
【図４】
0005576978.tif 000005